(57)【要約】  本発明は、厚みの増加が抑制され、安定した状態で保持部材に保持されることができる表示装置を提供することを目的とする。  本発明の表示装置は、画像を表示する表示パネルと、表示パネルを保持する背面板（１０８）と、を備える。背面板は、取付部（１８１）と、複数の縦膨出部（１８２）と、横膨出部（１８３）と、を備える。取付部は、当該背面板の一端の縁部の複数箇所に配置され、当該表示装置を保持する保持部材が取り付けられる。縦膨出部は、当該背面板の基準面（１８４）から膨出し、取付部の一端部近傍から当該背面板の一端に対向する他端の縁部まで延伸している。横膨出部は、基準面から膨出し、当該背面板の他端の縁に沿って延伸し、互いに隣り合う縦膨出部の間隔よりも大きい長さを有する。
2016136218.tif 000002
【特許請求の範囲】
【請求項１】
画像を表示する表示パネルと、前記表示パネルを保持する背面板と、を備える表示装置であって、
前記背面板は、
当該背面板の一端の縁部の複数箇所に配置され、当該表示装置を保持する保持部材が取り付けられる取付部と、
当該背面板の基準面から膨出し、複数の前記取付部の一端部近傍から当該背面板の前記一端に対向する他端の縁部まで延伸する複数の縦膨出部と、
前記基準面から膨出し、当該背面板の前記他端の縁に沿って延伸し、互いに隣り合う前記縦膨出部の間隔よりも大きい長さを有する横膨出部と、を備える、
表示装置。
【請求項２】
前記縦膨出部は、前記取付部よりも広い幅を有し、
前記背面板は、前記取付部の側方に設けられ、前記縦膨出部の一端から前記取付部の前記一端部を超える位置まで延伸する補強膨出部を備える、
請求項１に記載の表示装置。
【請求項３】
前記補強膨出部は、前記背面板の前記一端に向かって膨出高さが徐々に低くなる傾斜部を備える、
請求項１に記載の表示装置。
【請求項４】
表示装置に用いられ、前記表示装置が有する表示パネルを保持する背面板であって、
当該背面板の一端の縁部の複数箇所に配置され、前記表示装置を保持する保持部材が取り付けられる取付部と、
当該背面板の基準面から膨出し、複数の前記取付部の一端部近傍から当該背面板の前記一端に対向する他端の縁部まで延伸する複数の縦膨出部と、
前記基準面から膨出し、当該背面板の前記他端の縁に沿って延伸し、互いに隣り合う前記縦膨出部の間隔よりも大きい長さを有する横膨出部と、を備える、
背面板。
【発明の詳細な説明】
【技術分野】
【０００１】
本開示は、静止画や動画等の画像を表示する表示装置、および、表示装置に用いられる背面板に関する。
【背景技術】
【０００２】
特許文献１は、スタンドを備えた表示装置を開示する。スタンドは、表示装置を下方から支持するためのものである。スタンドは、例えば、プレート状の台座と、台座から上方に向けて延びる支柱と、を有する。支柱の上端部は、表示パネルを背面で保持する背面板に、ネジ等で固定されている。
【先行技術文献】
【特許文献】
【０００３】
【特許文献１】特開２００７−１５６１７６号公報
【発明の概要】
【０００４】
表示装置は大型化が進んでいる。そして、表示装置の前後方向の傾きや幅方向の揺れ等を抑制するために、支柱等の保持部材を取り付けるための取付部が大型化する傾向がある。一方、取付部の大型化により表示装置全体の厚みが増加すると、表示装置の薄型化が困難になる。
【０００５】
本開示は、表示装置のデザイン性を向上しつつ安定した状態で保持部材に保持されることができる表示装置、および、表示装置に用いられる背面板を提供する。
【０００６】
本開示における表示装置は、画像を表示する表示パネルと、表示パネルを保持する背面板と、を備える。背面板は、取付部と、複数の縦膨出部と、横膨出部とを備える。取付部は、当該背面板の一端の縁部の複数箇所に配置され、当該表示装置を保持する保持部材が取り付けられる。縦膨出部は、当該背面板の基準面から膨出し、取付部の一端部近傍から当該背面板の一端に対向する他端の縁部まで延伸している。横膨出部は、基準面から膨出し、当該背面板の他端の縁に沿って延伸し、互いに隣り合う縦膨出部の間隔よりも大きい長さを有する。
【０００７】
本開示における表示装置は、厚みの増加が抑制され、大型の表示装置であっても保持部材に安定した状態で保持されることができる。
【図面の簡単な説明】
【０００８】
【図１】図１は、実施の形態１における表示装置の外観の一例を模式的に示す斜視図である。
【図２】図２は、実施の形態１における表示装置の構造の一例を模式的に示す分解斜視図である。
【図３】図３は、実施の形態１における背面板の背部の一例を模式的に示す斜視図である。
【図４】図４は、実施の形態１における取付部の近傍を拡大して示す平面図である。
【図５】図５は、実施の形態１における保持部材が取り付けられた取付部の近傍を拡大して示す斜視図である。
【発明を実施するための形態】
【０００９】
以下の実施の形態は、本開示に係る表示装置の一例を示したものに過ぎない。したがって、本開示は、以下の実施の形態のみに限定されるものではない。
【００１０】
また、図面は、本開示を示すために適宜強調や省略、比率の調整を行った模式的な図となっており、実際の形状や位置関係、比率とは異なる場合がある。
【００１１】
また、各図において、実質的に同一の構成要素に対しては同一の符号を付与している。
【００１２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略または簡略化する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより特許請求の範囲に記載の主題を限定することは意図されていない。
【００１４】
（実施の形態１）
［１−１．表示装置の構成の概要］
図１は、実施の形態１における表示装置１００の外観の一例を模式的に示す斜視図である。
【００１５】
図２は、実施の形態１における表示装置１００の構造の一例を模式的に示す分解斜視図である。
【００１６】
なお、これらの図は、表示装置１００の概略構成を模式的に示したものであり、細部は省略されている。
【００１７】
なお、以下では、必要に応じて、ＸＹＺ軸を用いて説明を行う。本実施の形態では、便宜的に、表示装置１００の長手方向に平行（実質的に平行）な方向をＸ軸とし、表示装置１００の短手方向に平行（実質的に平行）な方向をＹ軸とし、Ｘ軸およびＹ軸の双方に直交する方向をＺ軸とする。また、ＸＺ平面に対して鉛直方向、すなわちＹ軸方向が重力方向であり、通常の使用状況下では、表示装置１００は、ＸＺ平面に平行（実質的に平行）な設置面に設置されるものとする。また、表示装置１００を視聴するユーザ（図示せず）に正対する側を「正面」または「前」とし、正面の反対側を「背面」または「後」とし、設置面に対してＹ軸方向に相対的に遠い方を「上」とし、設置面に対してＹ軸方向に相対的に近い方を「下」とする。また、表示装置１００の短手方向に平行（実質的に平行）な方向を「縦」とし、表示装置１００の長手方向に平行（実質的に平行）な方向を「横」とする。なお、これらの方向は便宜的に示す相対的なものであり、絶対的なものではない。
【００１８】
表示装置１００は、枠体１０１と、前面部材１０２と、表示パネル１０３と、発光ユニット１４０と、背面板１０８と、背面カバー１０９と、を備える。
【００１９】
本実施の形態に示す表示装置１００は、例えば、受信した放送波等から得られる映像および音声を出力するテレビジョンであり、内部に回路基板（図示せず）等を備えている。なお、テレビジョンとしての構成は、一般に知られた構成と実質的に同じであるので、説明を省略する。また、表示装置１００は、保持部材２００に取り付けられている。保持部材２００には、脚や台（ペデスタル、スタンド）等と呼称されるものや、表示装置１００を壁や天井等に取り付けるためのブラケット、等が含まれる。
【００２０】
枠体１０１、前面部材１０２、および、背面カバー１０９は、表示パネル１０３や発光ユニット１４０等を覆う部材である。枠体１０１は、表示パネル１０３等の外周を保護する部材である。前面部材１０２は、表示パネル１０３の前面を覆う透明な部材である。背面カバー１０９は、表示パネル１０３等の背面を保護する部材である。
【００２１】
表示パネル１０３は、入力された映像信号に基づき画像を表示する装置である。画像には、静止画および動画等が含まれ、文字や記号等も画像に含まれる。本実施の形態に示す表示パネル１０３は、液晶表示パネルである。また、表示パネル１０３の厚みは、例えば、１ｍｍ〜３ｍｍ程度である。なお、本開示において表示パネル１０３の種類は特に限定されない。表示パネル１０３には、表示パネル１０３の背面側に発光ユニット１４０が必要ないものが含まれてもよい。
【００２２】
［１−２．発光ユニット］
発光ユニット１４０は、表示パネル１０３の背面に実質的に輝度が均一な光を放射するための部材であり、一般的に「バックライト」等と呼称される。発光ユニット１４０は、拡散板１０４と、反射シート１０５と、発光モジュール１０６と、を備えている。
【００２３】
発光モジュール１０６は、表示装置１００が備える複数の発光源１６１の内の複数個を配線基板１６２に取り付けたものである。発光モジュール１０６は、背面板１０８に対して発光源１６１を容易に配置できるようにするためのものである。発光モジュール１０６を背面板１０８に取り付けることで、表示パネル１０３に沿ってマトリクス状に発光源１６１を配置することができる。
【００２４】
なお、背面板１０８には発光モジュール１０６を取り付けるための凹陥部（図示せず）が設けられている。
【００２５】
配線基板１６２は、コネクタを備えている。配線基板１６２では、コネクタに接続された電線から供給される電力が、配線基板１６２に取り付けられた発光源１６１に供給される。これにより、配線基板１６２に取り付けられた発光源１６１が点灯する。
【００２６】
発光源１６１は、表示パネル１０３に沿って（Ｘ軸およびＹ軸に沿って）マトリクス状に配置される。発光源１６１は、表示パネル１０３の背面側から表示パネル１０３に向かって光を放射する部品である。本開示では、発光源１６１の種類は特に限定されないが、発光源１６１として、例えば、青色発光ダイオードと黄色を発光する蛍光物質とが組み合わされた、白色光を放射することができる白色ＬＥＤ、等を例示することができる。
【００２７】
拡散板１０４は、複数の発光源１６１から放射される光を拡散する部材である。例えば拡散板１０４は、入射した光を実質的に全方位に拡散し、出射光の輝度の視角依存性を低減させ、出射する光の輝度を実質的に均一化するものである。具体的な一例を挙げると、拡散板１０４は、両面または片面のみに細かな凹凸を有する板状の透明な部材である。また、拡散板１０４の内部には、反射率の高い微粒子が分散して配置されていてもよい。また、拡散板１０４は、細かな凹凸を備えたフィルムを複数層重ね合わせたものでもよい。
【００２８】
反射シート１０５は、発光源１６１から放射された光を表示パネル１０３に向かって反射する部材である。反射シート１０５は、発光源１６１が差し込まれる挿入孔を備えている。なお、発光源１６１を挿入孔に容易に挿通できるようにするために、挿入孔の径は、発光源１６１の外形よりも大きく設定されてもよい。
【００２９】
本開示において、反射シート１０５の材質は特に限定されないが、反射シート１０５として、例えば、光の反射性に優れた白色のＰＥＴ（ポリエチレンテレフタレート）等の合成樹脂製のシート状部材を例示することができる。また、反射シート１０５は、突出部（図示せず）により一部が押し出されることにより膨出（変形）することができる柔軟性（伸縮性）を備えている。
【００３０】
［１−３．背面板］
図３は、実施の形態１における背面板１０８の背部の一例を模式的に示す斜視図である。
【００３１】
背面板１０８は、表示パネル１０３を保持する板状の部材であり、図２に示したように、表示パネル１０３の背面（Ｚ軸の負方向側の面）に配置される。図３に示すように、背面板１０８は、取付部１８１と、縦膨出部１８２と、横膨出部１８３と、を備えている。なお、背面板１０８には、発光モジュール１０６を保持するための膨出部（凹陥部）や、発光モジュール１０６、回路基板等をネジ止めするためのボス、等が取り付けられるが、それらの図示は省略する。
【００３２】
図４は、実施の形態１における取付部１８１の近傍を拡大して示す平面図である。
【００３３】
図５は、実施の形態１における保持部材２００が取り付けられた取付部１８１の近傍を拡大して示す斜視図である。
【００３４】
取付部１８１は、背面板１０８の下端縁部に設けられた背面板１０８の一部分である。取付部１８１は、表示装置１００を保持する保持部材２００を取り付けることができるように形成されている。
【００３５】
なお、取付部１８１の配置位置は、保持部材２００が背面板１０８をバランスよく安定に保持できる位置に設定すればよい。すなわち、上述の背面板１０８の下端縁部とは、取付部１８１に取り付けられた保持部材２００が背面板１０８をバランスよく安定に保持できる範囲のことである。
【００３６】
本実施の形態では、取付部１８１には、保持部材２００を取り付けるための取付金具１８９が固定されている。
【００３７】
取付金具１８９は、取付部１８１の構造的な強度を向上させ、保持部材２００の背面板１０８への取り付けを容易かつ確実にすることができる部材である。
【００３８】
縦膨出部１８２は、図３、図４に示すように、取付部１８１よりも幅（背面板１０８の長手方向（Ｘ軸方向）における長さ）が広く、基準面１８４から後方に向かって膨出し、取付部１８１の上端部１８１ａ近傍から背面板１０８の上端縁部まで延伸した形状で形成された、背面板１０８の一部分である。なお、基準面１８４とは、背面板１０８の背面側における、保持部材２００が取り付けられる取付部１８１と同一平面上の面のことである。
【００３９】
なお、縦膨出部１８２の下端および上端は、背面板１０８の剛性が十分に得られる範囲に設定すればよい。すなわち、取付部１８１の上端部１８１ａ近傍とは、縦膨出部１８２の下端が取付部１８１の上端部１８１ａに接する位置から、縦膨出部１８２の下端と取付部１８１の上端部１８１ａとの離間距離が背面板１０８の剛性が損なわれない範囲まで、のことである。また、背面板１０８の上端縁部とは、縦膨出部１８２による背面板１０８の剛性が十分に得られる範囲のことである。
【００４０】
なお、本実施の形態において、膨出部（縦膨出部１８２、横膨出部１８３等を含む）とは、薄い板状の部材の一部が膨れて一方に突出して形成された部分のことである。したがって、膨出部は、板状の部材の一方の面から見た場合（図３に示す例では、背面板１０８を背面側から見た場合）は突出しているが、他方の面から見た場合（図３に示す例では、背面板１０８を正面側から見た場合）は凹陥している。
【００４１】
本実施の形態では、取付部１８１および縦膨出部１８２は、図３に示すように、背面板１０８における、背面板１０８を幅方向（背面板１０８の長手方向（Ｘ軸方向））に実質的に三等分または略三等分する位置に、設けられている。これにより、背面板１０８に形成する取付部１８１および縦膨出部１８２の数を低減しつつ、保持部材２００が背面板１０８をバランスよく保持することが可能となる。
【００４２】
また、縦膨出部１８２は、背面板１０８の幅方向（背面板１０８の長手方向（Ｘ軸方向））の端縁部には配置されていない。これにより、表示装置１００を側方から見たときの表示装置１００の薄さをユーザに印象づけることができ、表示装置１００のデザイン性を向上させることが可能となる。
【００４３】
また、縦膨出部１８２は、図３に示すように、背面板１０８の上下方向（背面板１０８の短手方向（Ｙ軸方向））に沿って延伸している。これにより、表示装置１００の前後方向（背面板１０８の厚み方向（Ｚ軸方向））の剛性を向上することが可能となる。
【００４４】
なお、縦膨出部１８２は、回路基板等の配置領域を確保するために、上下方向の一部に取付部１８１よりも幅の狭い部分を備えていてもよい。すなわち、縦膨出部１８２は、少なくとも一部に取付部１８１よりも幅の広い部分を備えていればよい。
【００４５】
また、背面板１０８は、図４に示すように、取付部１８１の側方に設けられ、縦膨出部１８２の下端から、取付部１８１の上端部１８１ａを越えて取付部１８１の略中間位置まで延伸する補強膨出部１８５を備えている。
【００４６】
補強膨出部１８５は、縦膨出部１８２と同様に、基準面１８４から後方に向かって膨出して形成されている。そして、補強膨出部１８５が取付部１８１の側方に配置されることにより、保持部材２００が取付部１８１に取り付けられたときの取付部１８１における前後方向（Ｚ軸方向）の機械的な強度を向上させることが可能となる。
【００４７】
本実施の形態では、補強膨出部１８５は、縦膨出部１８２と上下方向（Ｙ軸方向）に連続して形成されている。また、補強膨出部１８５は、図４に示すように、縦膨出部１８２の膨出した面から、下方（Ｙ軸負方向）に向かって膨出高さが徐々に低くなる傾斜部１８６を備えている。なお、膨出高さとは、背面板１０８の前後方向（Ｚ軸方向）における、基準面１８４から膨出した面までの長さのことである。
【００４８】
なお、傾斜部１８６の傾斜角度は、縦膨出部１８２が備えるテーパー部１８７の傾斜角度よりも緩やかに設定されている。また、補強膨出部１８５の幅（Ｘ軸方向の長さ）は、縦膨出部１８２の幅（Ｘ軸方向の長さ）から取付部１８１の幅（Ｘ軸方向の長さ）を引いた程度の大きさに設定されている。
【００４９】
これにより、取付部１８１における機械的強度を十分に確保しつつ補強膨出部１８５の製造を容易にすることが可能となる。また、傾斜部１８６により表示装置１００の下端部のデザイン性を向上させることが可能となる。
【００５０】
横膨出部１８３は、図３に示すように、背面板１０８の上端縁に沿って（Ｘ軸方向に）延伸し、基準面１８４から後方に向かって膨出した形状で形成された、背面板１０８の一部分である。横膨出部１８３の長さ（Ｘ軸方向の大きさ）は、背面板１０８の２箇所に設けられた縦膨出部１８２のＸ軸方向の間隔よりも長くなるように設定されている。
【００５１】
本実施の形態では、横膨出部１８３は、矩形の基準面１８４の横幅（背面板１０８の長手方向（Ｘ軸方向）の幅）のほぼ全体にわたって延伸しており、縦膨出部１８２と連続して形成されている。すなわち、横膨出部１８３と縦膨出部１８２とは、縦膨出部１８２の端部においてＴ字状に連結されている。また、横膨出部１８３における膨出した面と縦膨出部１８２における膨出した面とが実質的に同一平面になるように、横膨出部１８３の膨出高さ（基準面１８４から膨出した面までのＺ軸方向の長さ）は、縦膨出部１８２の膨出高さとほぼ等しい大きさに設定されている。また、横膨出部１８３の幅（Ｙ軸方向の大きさ）は、縦膨出部１８２の幅（Ｘ軸方向の大きさ）よりも狭い幅に設定されている。
【００５２】
これにより、表示装置１００において、縦膨出部１８２による構造的な強度を背面板１０８の幅方向（Ｘ軸方向）の端縁部まで及ぼすことができ、上下方向を回転軸とした表示装置１００の回転方向の強度（Ｚ軸方向のたわみに対する強度）を向上させることが可能となる。
【００５３】
また、横膨出部１８３は、図３に示すように、背面板１０８の周縁に配置された傾斜枠部１８８の中間位置付近から基準面１８４にわたって形成されている。なお、傾斜枠部１８８とは、背面板１０８の周縁端に向かうほど表示パネル１０３に近づくように形成された、背面板１０８の一部分である。言い換えると、傾斜枠部１８８は、表示パネル１０３に近づくに従い開口面積が大きくなるように形成された背面板１０８の一部分である。
【００５４】
これにより、背面板１０８の剛性を高めることが可能となる。
【００５５】
本実施の形態では、縦膨出部１８２と、横膨出部１８３と、補強膨出部１８５とは、背面板１０８と一体であり、金属板に対し塑性変形加工を施すことで、背面板１０８の製造時に背面板１０８と同時に形成される。背面板１０８の製造方法の一例を挙げると、例えば、金属板を、型を用いてプレス加工することにより、縦膨出部１８２、横膨出部１８３、補強膨出部１８５、および傾斜枠部１８８、等を形成することができる。
【００５６】
なお、背面板１０８は、縦膨出部１８２および横膨出部１８３以外の膨出部（図示せず）も有する。しかし、縦膨出部１８２および横膨出部１８３の膨出高さは、他の膨出部の膨出高さよりも高く設定されている。
【００５７】
［１−４．効果等］
以上のように、本実施の形態において、表示装置は、画像を表示する表示パネルと、表示パネルを保持する背面板と、を備える。背面板は、取付部と、複数の縦膨出部と、横膨出部と、を備える。取付部は、当該背面板の一端の縁部の複数箇所に配置され、当該表示装置を保持する保持部材が取り付けられる。縦膨出部は、当該背面板の基準面から膨出し、取付部の一端部近傍から当該背面板の一端に対向する他端の縁部まで延伸している。横膨出部は、基準面から膨出し、当該背面板の他端の縁に沿って延伸し、互いに隣り合う縦膨出部の間隔よりも大きい長さを有する。
【００５８】
なお、表示装置１００は表示装置の一例である。表示パネル１０３は表示パネルの一例である。背面板１０８は背面板の一例である。取付部１８１は取付部の一例である。縦膨出部１８２は縦膨出部の一例である。横膨出部１８３は横膨出部の一例である。保持部材２００は保持部材の一例である。背面板１０８の下端は、背面板の一端の一例である。背面板１０８の上端は、背面板の他端の一例である。基準面１８４は背面板の基準面の一例である。取付部１８１の上端部１８１ａは、取付部の一端部の一例である。
【００５９】
これにより、例えば実施の形態１に示した表示装置１００では、表示装置１００の厚みを薄くしてデザイン性を向上させることが可能となる。また、保持部材２００を表示装置１００に取り付けたときの表示装置セットとしての全体的な剛性を向上することが可能となる。また、表示装置１００では、高い剛性を得るための機械的強度を、背面板１０８が備える縦膨出部１８２と横膨出部１８３とによる構造で実現できる。そのため、表示装置１００の生産や設置等を容易にすることができ、また、表示装置１００の変形などを抑制することが可能となる。
【００６０】
表示装置において、縦膨出部は、取付部よりも広い幅を有してもよい。背面板は、取付部の側方に設けられ、縦膨出部の一端から、取付部の一端部を越える位置まで延伸する補強膨出部を備えてもよい。
【００６１】
なお、縦膨出部１８２のＸ軸方向（背面板１０８の長手方向）における長さは、縦膨出部の幅の一例である。補強膨出部１８５は補強膨出部の一例である。縦膨出部１８２の下端は、縦膨出部の一端の一例である。取付部１８１の略中間位置は、取付部の一端部を越える位置の一例である。
【００６２】
これにより、実施の形態１に例示した表示装置１００では、剛性を向上することが可能となる。また、保持部材２００が取付部１８１に取り付けられたときの取付部１８１における前後方向（Ｚ軸方向）の機械的な強度を向上させることが可能となる。
【００６３】
表示装置において、補強膨出部は、背面板の一端に向かって膨出高さが徐々に低くなる傾斜部を備えてもよい。
【００６４】
なお、傾斜部１８６は傾斜部の一例である。背面板１０８の前後方向（Ｚ軸方向）における、基準面１８４から膨出した面までの長さは、膨出高さの一例である。
【００６５】
これにより、実施の形態１に例示した表示装置１００では、取付部１８１における機械的強度を確保しつつ表示装置１００の下端部のデザイン性を向上させることが可能となる。
【００６６】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００６７】
そこで、以下、他の実施の形態を例示する。
【００６８】
実施の形態１では、液晶表示パネルと直下型のバックライトを備えた表示装置１００を例示した。しかし、表示装置１００は、有機ＥＬ（Ｅｌｅｃｔｒｏ  Ｌｕｍｉｎｅｓｃｅｎｃｅ）表示パネルやその他の表示パネルを備えていてもよい。
【００６９】
実施の形態１では、縦膨出部１８２が取付部１８１の幅よりも広い幅を備える構成例を説明したが、本開示はこの構成に限定されない。縦膨出部１８２は、取付部１８１よりも狭い幅を備えていてもよい。
【００７０】
実施の形態１では、発光モジュール１０６として、複数個の発光源１６１を配線基板１６２に取り付けたものを例示したが、この配線基板１６２は、ＦＰＣ（Ｆｌｅｘｉｂｌｅ  ｐｒｉｎｔｅｄ  ｃｉｒｃｕｉｔｓ）で形成してもよく、配線基板１６２に電力を供給する電線も含めてＦＰＣで形成してもよい。各種基板や配線をＦＰＣで形成すれば、配線の取り回しが簡易になり、背面板１０８上に配される反射シート１０５をフラットに貼り付けることができる。
【００７１】
実施の形態１では、縦膨出部１８２および横膨出部１８３の膨出高さが他の膨出部（図示せず）よりも高く設定された構成例を説明したが、本開示はこの構成に限定されない。表示装置１００は、縦膨出部１８２および横膨出部１８３よりも膨出高さが高い膨出部を備えていてもよい。
【００７２】
実施の形態１では、補強膨出部１８５を取付部１８１の片側に設ける構成例を示したが、本開示はこの構成に限定されない。補強膨出部１８５は、取付部１８１の両側に設けられてもよい。
【００７３】
実施の形態１では、横膨出部１８３と縦膨出部１８２とが、縦膨出部１８２の端部においてＴ字状に連結された構成例を説明したが、本開示はこの構成に限定されない。例えば、横膨出部１８３と縦膨出部１８２とが、横膨出部１８３の中間部と縦膨出部１８２の中間部とで＋字状（またはＸ字状）に交差してもよい。
【００７４】
実施の形態１では、背面板１０８が２つの縦膨出部１８２と１つの横膨出部１８３を備えた構成例を説明したが、本開示はこの構成に限定されない。背面板１０８は、３以上の縦膨出部１８２を備えてもよく、あるいは２以上の横膨出部１８３を備えてもよい。
【００７５】
以上のように、本開示における技術の例示として、実施の形態を説明した。そのために、添付図面および詳細な説明を提供した。
【００７６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７７】
また、上述の実施の形態は、本開示における技術を例示するためのものであるから、特許請求の範囲またはその均等の範囲において種々の変更、置き換え、付加、省略などを行うことができる。
【産業上の利用可能性】
【００７８】
本開示は、画像や文字、動画等を表示する表示装置に適用可能である。具体的には、テレビ、モニタ表示、デジタルサイネージ、携帯端末、タブレット端末、またはテーブル型表示装置等の、保持部材に保持される表示装置に本開示は適用可能である。
【符号の説明】
【００７９】
１００    表示装置
１０１    枠体
１０２    前面部材
１０３    表示パネル
１０４    拡散板
１０５    反射シート
１０６    発光モジュール
１０８    背面板
１０９    背面カバー
１４０    発光ユニット
１６１    発光源
１６２    配線基板
１８１    取付部
１８１ａ    上端部
１８２    縦膨出部
１８３    横膨出部
１８４    基準面
１８５    補強膨出部
１８６    傾斜部
１８７    テーパー部
１８８    傾斜枠部
１８９    取付金具
２００    保持部材
【図１】
2016136218.tif 000003
【図２】
2016136218.tif 000004
【図３】
2016136218.tif 000005
【図４】
2016136218.tif 000006
【図５】
2016136218.tif 000007
【手続補正書】
【提出日】平成29年7月20日(2017.7.20)
【手続補正１】
【補正対象書類名】明細書
【補正対象項目名】全文
【補正方法】変更
【補正の内容】
【発明の詳細な説明】
【技術分野】
【０００１】
本開示は、静止画や動画等の画像を表示する表示装置、および、表示装置に用いられる背面板に関する。
【背景技術】
【０００２】
特許文献１は、スタンドを備えた表示装置を開示する。スタンドは、表示装置を下方から支持するためのものである。スタンドは、例えば、プレート状の台座と、台座から上方に向けて延びる支柱と、を有する。支柱の上端部は、表示パネルを背面で保持する背面板に、ネジ等で固定されている。
【先行技術文献】
【特許文献】
【０００３】
【特許文献１】特開２００７−１５６１７６号公報
【発明の概要】
【０００４】
表示装置は大型化が進んでいる。そして、表示装置の前後方向の傾きや幅方向の揺れ等を抑制するために、支柱等の保持部材を取り付けるための取付部が大型化する傾向がある。一方、取付部の大型化により表示装置全体の厚みが増加すると、表示装置の薄型化が困難になる。
【０００５】
本開示は、表示装置のデザイン性を向上しつつ安定した状態で保持部材に保持されることができる表示装置、および、表示装置に用いられる背面板を提供する。
【０００６】
本開示における表示装置は、画像を表示する表示パネルと、表示パネルを保持する背面板と、を備える。背面板は、取付部と、複数の縦膨出部と、横膨出部とを備える。取付部は、当該背面板の一端の縁部の複数箇所に配置され、当該表示装置を保持する保持部材が取り付けられる。縦膨出部は、当該背面板の基準面から膨出し、取付部の一端部近傍から当該背面板の一端に対向する他端の縁部まで延伸している。横膨出部は、基準面から膨出し、当該背面板の他端の縁に沿って延伸し、互いに隣り合う縦膨出部の間隔よりも大きい長さを有する。
【０００７】
本開示における表示装置は、厚みの増加が抑制され、大型の表示装置であっても保持部材に安定した状態で保持されることができる。
【図面の簡単な説明】
【０００８】
【図１】図１は、実施の形態１における表示装置の外観の一例を模式的に示す斜視図である。
【図２】図２は、実施の形態１における表示装置の構造の一例を模式的に示す分解斜視図である。
【図３】図３は、実施の形態１における背面板の背部の一例を模式的に示す斜視図である。
【図４】図４は、実施の形態１における取付部の近傍を拡大して示す平面図である。
【図５】図５は、実施の形態１における保持部材が取り付けられた取付部の近傍を拡大して示す斜視図である。
【発明を実施するための形態】
【０００９】
以下の実施の形態は、本開示に係る表示装置の一例を示したものに過ぎない。したがって、本開示は、以下の実施の形態のみに限定されるものではない。
【００１０】
また、図面は、本開示を示すために適宜強調や省略、比率の調整を行った模式的な図となっており、実際の形状や位置関係、比率とは異なる場合がある。
【００１１】
また、各図において、実質的に同一の構成要素に対しては同一の符号を付与している。
【００１２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略または簡略化する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより特許請求の範囲に記載の主題を限定することは意図されていない。
【００１４】
（実施の形態１）
［１−１．表示装置の構成の概要］
図１は、実施の形態１における表示装置１００の外観の一例を模式的に示す斜視図である。
【００１５】
図２は、実施の形態１における表示装置１００の構造の一例を模式的に示す分解斜視図である。
【００１６】
なお、これらの図は、表示装置１００の概略構成を模式的に示したものであり、細部は省略されている。
【００１７】
なお、以下では、必要に応じて、ＸＹＺ軸を用いて説明を行う。本実施の形態では、便宜的に、表示装置１００の長手方向に平行（実質的に平行）な方向をＸ軸とし、表示装置１００の短手方向に平行（実質的に平行）な方向をＹ軸とし、Ｘ軸およびＹ軸の双方に直交する方向をＺ軸とする。また、ＸＺ平面に対して鉛直方向、すなわちＹ軸方向が重力方向であり、通常の使用状況下では、表示装置１００は、ＸＺ平面に平行（実質的に平行）な設置面に設置されるものとする。また、表示装置１００を視聴するユーザ（図示せず）に正対する側を「正面」または「前」とし、正面の反対側を「背面」または「後」とし、設置面に対してＹ軸方向に相対的に遠い方を「上」とし、設置面に対してＹ軸方向に相対的に近い方を「下」とする。また、表示装置１００の短手方向に平行（実質的に平行）な方向を「縦」とし、表示装置１００の長手方向に平行（実質的に平行）な方向を「横」とする。なお、これらの方向は便宜的に示す相対的なものであり、絶対的なものではない。
【００１８】
表示装置１００は、枠体１０１と、前面部材１０２と、表示パネル１０３と、発光ユニット１４０と、背面板１０８と、背面カバー１０９と、を備える。
【００１９】
本実施の形態に示す表示装置１００は、例えば、受信した放送波等から得られる映像および音声を出力するテレビジョンであり、内部に回路基板（図示せず）等を備えている。なお、テレビジョンとしての構成は、一般に知られた構成と実質的に同じであるので、説明を省略する。また、表示装置１００は、保持部材２００に取り付けられている。保持部材２００には、脚や台（ペデスタル、スタンド）等と呼称されるものや、表示装置１００を壁や天井等に取り付けるためのブラケット、等が含まれる。
【００２０】
枠体１０１、前面部材１０２、および、背面カバー１０９は、表示パネル１０３や発光ユニット１４０等を覆う部材である。枠体１０１は、表示パネル１０３等の外周を保護する部材である。前面部材１０２は、表示パネル１０３の前面を覆う透明な部材である。背面カバー１０９は、表示パネル１０３等の背面を保護する部材である。
【００２１】
表示パネル１０３は、入力された映像信号に基づき画像を表示する装置である。画像には、静止画および動画等が含まれ、文字や記号等も画像に含まれる。本実施の形態に示す表示パネル１０３は、液晶表示パネルである。また、表示パネル１０３の厚みは、例えば、１ｍｍ〜３ｍｍ程度である。なお、本開示において表示パネル１０３の種類は特に限定されない。表示パネル１０３には、表示パネル１０３の背面側に発光ユニット１４０が必要ないものが含まれてもよい。
【００２２】
［１−２．発光ユニット］
発光ユニット１４０は、表示パネル１０３の背面に実質的に輝度が均一な光を放射するための部材であり、一般的に「バックライト」等と呼称される。発光ユニット１４０は、拡散板１０４と、反射シート１０５と、発光モジュール１０６と、を備えている。
【００２３】
発光モジュール１０６は、表示装置１００が備える複数の発光源１６１の内の複数個を配線基板１６２に取り付けたものである。発光モジュール１０６は、背面板１０８に対して発光源１６１を容易に配置できるようにするためのものである。発光モジュール１０６を背面板１０８に取り付けることで、表示パネル１０３に沿ってマトリクス状に発光源１６１を配置することができる。
【００２４】
なお、背面板１０８には発光モジュール１０６を取り付けるための凹陥部（図示せず）が設けられている。
【００２５】
配線基板１６２は、コネクタを備えている。配線基板１６２では、コネクタに接続された電線から供給される電力が、配線基板１６２に取り付けられた発光源１６１に供給される。これにより、配線基板１６２に取り付けられた発光源１６１が点灯する。
【００２６】
発光源１６１は、表示パネル１０３に沿って（Ｘ軸およびＹ軸に沿って）マトリクス状に配置される。発光源１６１は、表示パネル１０３の背面側から表示パネル１０３に向かって光を放射する部品である。本開示では、発光源１６１の種類は特に限定されないが、発光源１６１として、例えば、青色発光ダイオードと黄色を発光する蛍光物質とが組み合わされた、白色光を放射することができる白色ＬＥＤ、等を例示することができる。
【００２７】
拡散板１０４は、複数の発光源１６１から放射される光を拡散する部材である。例えば拡散板１０４は、入射した光を実質的に全方位に拡散し、出射光の輝度の視角依存性を低減させ、出射する光の輝度を実質的に均一化するものである。具体的な一例を挙げると、拡散板１０４は、両面または片面のみに細かな凹凸を有する板状の透明な部材である。また、拡散板１０４の内部には、反射率の高い微粒子が分散して配置されていてもよい。また、拡散板１０４は、細かな凹凸を備えたフィルムを複数層重ね合わせたものでもよい。
【００２８】
反射シート１０５は、発光源１６１から放射された光を表示パネル１０３に向かって反射する部材である。反射シート１０５は、発光源１６１が差し込まれる挿入孔を備えている。なお、発光源１６１を挿入孔に容易に挿通できるようにするために、挿入孔の径は、発光源１６１の外形よりも大きく設定されてもよい。
【００２９】
本開示において、反射シート１０５の材質は特に限定されないが、反射シート１０５として、例えば、光の反射性に優れた白色のＰＥＴ（ポリエチレンテレフタレート）等の合成樹脂製のシート状部材を例示することができる。また、反射シート１０５は、突出部（図示せず）により一部が押し出されることにより膨出（変形）することができる柔軟性（伸縮性）を備えている。
【００３０】
［１−３．背面板］
図３は、実施の形態１における背面板１０８の背部の一例を模式的に示す斜視図である。
【００３１】
背面板１０８は、表示パネル１０３を保持する板状の部材であり、図２に示したように、表示パネル１０３の背面（Ｚ軸の負方向側の面）に配置される。図３に示すように、背面板１０８は、取付部１８１と、縦膨出部１８２と、横膨出部１８３と、を備えている。なお、背面板１０８には、発光モジュール１０６を保持するための膨出部（凹陥部）や、発光モジュール１０６、回路基板等をネジ止めするためのボス、等が取り付けられるが、それらの図示は省略する。
【００３２】
図４は、実施の形態１における取付部１８１の近傍を拡大して示す平面図である。
【００３３】
図５は、実施の形態１における保持部材２００が取り付けられた取付部１８１の近傍を拡大して示す斜視図である。
【００３４】
取付部１８１は、背面板１０８の下端縁部に設けられた背面板１０８の一部分である。取付部１８１は、表示装置１００を保持する保持部材２００を取り付けることができるように形成されている。
【００３５】
なお、取付部１８１の配置位置は、保持部材２００が背面板１０８をバランスよく安定に保持できる位置に設定すればよい。すなわち、上述の背面板１０８の下端縁部とは、取付部１８１に取り付けられた保持部材２００が背面板１０８をバランスよく安定に保持できる範囲のことである。
【００３６】
本実施の形態では、取付部１８１には、保持部材２００を取り付けるための取付金具１８９が固定されている。
【００３７】
取付金具１８９は、取付部１８１の構造的な強度を向上させ、保持部材２００の背面板１０８への取り付けを容易かつ確実にすることができる部材である。
【００３８】
縦膨出部１８２は、図３、図４に示すように、取付部１８１よりも幅（背面板１０８の長手方向（Ｘ軸方向）における長さ）が広く、基準面１８４から後方に向かって膨出し、取付部１８１の上端部１８１ａ近傍から背面板１０８の上端縁部まで延伸した形状で形成された、背面板１０８の一部分である。なお、基準面１８４とは、背面板１０８の背面側における、保持部材２００が取り付けられる取付部１８１と同一平面上の面のことである。
【００３９】
なお、縦膨出部１８２の下端および上端は、背面板１０８の剛性が十分に得られる範囲に設定すればよい。すなわち、取付部１８１の上端部１８１ａ近傍とは、縦膨出部１８２の下端が取付部１８１の上端部１８１ａに接する位置から、縦膨出部１８２の下端と取付部１８１の上端部１８１ａとの離間距離が背面板１０８の剛性が損なわれない範囲まで、のことである。また、背面板１０８の上端縁部とは、縦膨出部１８２による背面板１０８の剛性が十分に得られる範囲のことである。
【００４０】
なお、本実施の形態において、膨出部（縦膨出部１８２、横膨出部１８３等を含む）とは、薄い板状の部材の一部が膨れて一方に突出して形成された部分のことである。したがって、膨出部は、板状の部材の一方の面から見た場合（図３に示す例では、背面板１０８を背面側から見た場合）は突出しているが、他方の面から見た場合（図３に示す例では、背面板１０８を正面側から見た場合）は凹陥している。
【００４１】
本実施の形態では、取付部１８１および縦膨出部１８２は、図３に示すように、背面板１０８における、背面板１０８を幅方向（背面板１０８の長手方向（Ｘ軸方向））に実質的に三等分または略三等分する位置に、設けられている。これにより、背面板１０８に形成する取付部１８１および縦膨出部１８２の数を低減しつつ、保持部材２００が背面板１０８をバランスよく保持することが可能となる。
【００４２】
また、縦膨出部１８２は、背面板１０８の幅方向（背面板１０８の長手方向（Ｘ軸方向））の端縁部には配置されていない。これにより、表示装置１００を側方から見たときの表示装置１００の薄さをユーザに印象づけることができ、表示装置１００のデザイン性を向上させることが可能となる。
【００４３】
また、縦膨出部１８２は、図３に示すように、背面板１０８の上下方向（背面板１０８の短手方向（Ｙ軸方向））に沿って延伸している。これにより、表示装置１００の前後方向（背面板１０８の厚み方向（Ｚ軸方向））の剛性を向上することが可能となる。
【００４４】
なお、縦膨出部１８２は、回路基板等の配置領域を確保するために、上下方向の一部に取付部１８１よりも幅の狭い部分を備えていてもよい。すなわち、縦膨出部１８２は、少なくとも一部に取付部１８１よりも幅の広い部分を備えていればよい。
【００４５】
また、背面板１０８は、図４に示すように、取付部１８１の側方に設けられ、縦膨出部１８２の下端から、取付部１８１の上端部１８１ａを越えて取付部１８１の略中間位置まで延伸する補強膨出部１８５を備えている。
【００４６】
補強膨出部１８５は、縦膨出部１８２と同様に、基準面１８４から後方に向かって膨出して形成されている。そして、補強膨出部１８５が取付部１８１の側方に配置されることにより、保持部材２００が取付部１８１に取り付けられたときの取付部１８１における前後方向（Ｚ軸方向）の機械的な強度を向上させることが可能となる。
【００４７】
本実施の形態では、補強膨出部１８５は、縦膨出部１８２と上下方向（Ｙ軸方向）に連続して形成されている。また、補強膨出部１８５は、図４に示すように、縦膨出部１８２の膨出した面から、下方（Ｙ軸負方向）に向かって膨出高さが徐々に低くなる傾斜部１８６を備えている。なお、膨出高さとは、背面板１０８の前後方向（Ｚ軸方向）における、基準面１８４から膨出した面までの長さのことである。
【００４８】
なお、傾斜部１８６の傾斜角度は、縦膨出部１８２が備えるテーパー部１８７の傾斜角度よりも緩やかに設定されている。また、補強膨出部１８５の幅（Ｘ軸方向の長さ）は、縦膨出部１８２の幅（Ｘ軸方向の長さ）から取付部１８１の幅（Ｘ軸方向の長さ）を引いた程度の大きさに設定されている。
【００４９】
これにより、取付部１８１における機械的強度を十分に確保しつつ補強膨出部１８５の製造を容易にすることが可能となる。また、傾斜部１８６により表示装置１００の下端部のデザイン性を向上させることが可能となる。
【００５０】
横膨出部１８３は、図３に示すように、背面板１０８の上端縁に沿って（Ｘ軸方向に）延伸し、基準面１８４から後方に向かって膨出した形状で形成された、背面板１０８の一部分である。横膨出部１８３の長さ（Ｘ軸方向の大きさ）は、背面板１０８の２箇所に設けられた縦膨出部１８２のＸ軸方向の間隔よりも長くなるように設定されている。
【００５１】
本実施の形態では、横膨出部１８３は、矩形の基準面１８４の横幅（背面板１０８の長手方向（Ｘ軸方向）の幅）のほぼ全体にわたって延伸しており、縦膨出部１８２と連続して形成されている。すなわち、横膨出部１８３と縦膨出部１８２とは、縦膨出部１８２の端部においてＴ字状に連結されている。また、横膨出部１８３における膨出した面と縦膨出部１８２における膨出した面とが実質的に同一平面になるように、横膨出部１８３の膨出高さ（基準面１８４から膨出した面までのＺ軸方向の長さ）は、縦膨出部１８２の膨出高さとほぼ等しい大きさに設定されている。また、横膨出部１８３の幅（Ｙ軸方向の大きさ）は、縦膨出部１８２の幅（Ｘ軸方向の大きさ）よりも狭い幅に設定されている。
【００５２】
これにより、表示装置１００において、縦膨出部１８２による構造的な強度を背面板１０８の幅方向（Ｘ軸方向）の端縁部まで及ぼすことができ、上下方向を回転軸とした表示装置１００の回転方向の強度（Ｚ軸方向のたわみに対する強度）を向上させることが可能となる。
【００５３】
また、横膨出部１８３は、図３に示すように、背面板１０８の周縁に配置された傾斜枠部１８８の中間位置付近から基準面１８４にわたって形成されている。なお、傾斜枠部１８８とは、背面板１０８の周縁端に向かうほど表示パネル１０３に近づくように形成された、背面板１０８の一部分である。言い換えると、傾斜枠部１８８は、表示パネル１０３に近づくに従い開口面積が大きくなるように形成された背面板１０８の一部分である。
【００５４】
これにより、背面板１０８の剛性を高めることが可能となる。
【００５５】
本実施の形態では、縦膨出部１８２と、横膨出部１８３と、補強膨出部１８５とは、背面板１０８と一体であり、金属板に対し塑性変形加工を施すことで、背面板１０８の製造時に背面板１０８と同時に形成される。背面板１０８の製造方法の一例を挙げると、例えば、金属板を、型を用いてプレス加工することにより、縦膨出部１８２、横膨出部１８３、補強膨出部１８５、および傾斜枠部１８８、等を形成することができる。
【００５６】
なお、背面板１０８は、縦膨出部１８２および横膨出部１８３以外の膨出部（図示せず）も有する。しかし、縦膨出部１８２および横膨出部１８３の膨出高さは、他の膨出部の膨出高さよりも高く設定されている。
【００５７】
［１−４．効果等］
以上のように、本実施の形態において、表示装置は、画像を表示する表示パネルと、表示パネルを保持する背面板と、を備える。背面板は、取付部と、複数の縦膨出部と、横膨出部と、を備える。取付部は、当該背面板の一端の縁部の複数箇所に配置され、当該表示装置を保持する保持部材が取り付けられる。縦膨出部は、当該背面板の基準面から膨出し、取付部の一端部近傍から当該背面板の一端に対向する他端の縁部まで延伸している。横膨出部は、基準面から膨出し、当該背面板の他端の縁に沿って延伸し、互いに隣り合う縦膨出部の間隔よりも大きい長さを有する。
【００５８】
なお、表示装置１００は表示装置の一例である。表示パネル１０３は表示パネルの一例である。背面板１０８は背面板の一例である。取付部１８１は取付部の一例である。縦膨出部１８２は縦膨出部の一例である。横膨出部１８３は横膨出部の一例である。保持部材２００は保持部材の一例である。背面板１０８の下端は、背面板の一端の一例である。背面板１０８の上端は、背面板の他端の一例である。基準面１８４は背面板の基準面の一例である。取付部１８１の上端部１８１ａは、取付部の一端部の一例である。
【００５９】
これにより、例えば実施の形態１に示した表示装置１００では、表示装置１００の厚みを薄くしてデザイン性を向上させることが可能となる。また、保持部材２００を表示装置１００に取り付けたときの表示装置セットとしての全体的な剛性を向上することが可能となる。また、表示装置１００では、高い剛性を得るための機械的強度を、背面板１０８が備える縦膨出部１８２と横膨出部１８３とによる構造で実現できる。そのため、表示装置１００の生産や設置等を容易にすることができ、また、表示装置１００の変形などを抑制することが可能となる。
【００６０】
表示装置において、縦膨出部は、取付部よりも広い幅を有してもよい。背面板は、取付部の側方に設けられ、縦膨出部の一端から、取付部の一端部を越える位置まで延伸する補強膨出部を備えてもよい。
【００６１】
なお、縦膨出部１８２のＸ軸方向（背面板１０８の長手方向）における長さは、縦膨出部の幅の一例である。補強膨出部１８５は補強膨出部の一例である。縦膨出部１８２の下端は、縦膨出部の一端の一例である。取付部１８１の略中間位置は、取付部の一端部を越える位置の一例である。
【００６２】
これにより、実施の形態１に例示した表示装置１００では、剛性を向上することが可能となる。また、保持部材２００が取付部１８１に取り付けられたときの取付部１８１における前後方向（Ｚ軸方向）の機械的な強度を向上させることが可能となる。
【００６３】
表示装置において、補強膨出部は、背面板の一端に向かって膨出高さが徐々に低くなる傾斜部を備えてもよい。
【００６４】
なお、傾斜部１８６は傾斜部の一例である。背面板１０８の前後方向（Ｚ軸方向）における、基準面１８４から膨出した面までの長さは、膨出高さの一例である。
【００６５】
これにより、実施の形態１に例示した表示装置１００では、取付部１８１における機械的強度を確保しつつ表示装置１００の下端部のデザイン性を向上させることが可能となる。
【００６６】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００６７】
そこで、以下、他の実施の形態を例示する。
【００６８】
実施の形態１では、液晶表示パネルと直下型のバックライトを備えた表示装置１００を例示した。しかし、表示装置１００は、有機ＥＬ（Ｅｌｅｃｔｒｏ  Ｌｕｍｉｎｅｓｃｅｎｃｅ）表示パネルやその他の表示パネルを備えていてもよい。
【００６９】
実施の形態１では、縦膨出部１８２が取付部１８１の幅よりも広い幅を備える構成例を説明したが、本開示はこの構成に限定されない。縦膨出部１８２は、取付部１８１よりも狭い幅を備えていてもよい。
【００７０】
実施の形態１では、発光モジュール１０６として、複数個の発光源１６１を配線基板１６２に取り付けたものを例示したが、この配線基板１６２は、ＦＰＣ（Ｆｌｅｘｉｂｌｅ  ｐｒｉｎｔｅｄ  ｃｉｒｃｕｉｔｓ）で形成してもよく、配線基板１６２に電力を供給する電線も含めてＦＰＣで形成してもよい。各種基板や配線をＦＰＣで形成すれば、配線の取り回しが簡易になり、背面板１０８上に配される反射シート１０５をフラットに貼り付けることができる。
【００７１】
実施の形態１では、縦膨出部１８２および横膨出部１８３の膨出高さが他の膨出部（図示せず）よりも高く設定された構成例を説明したが、本開示はこの構成に限定されない。表示装置１００は、縦膨出部１８２および横膨出部１８３よりも膨出高さが高い膨出部を備えていてもよい。
【００７２】
実施の形態１では、補強膨出部１８５を取付部１８１の片側に設ける構成例を示したが、本開示はこの構成に限定されない。補強膨出部１８５は、取付部１８１の両側に設けられてもよい。
【００７３】
実施の形態１では、横膨出部１８３と縦膨出部１８２とが、縦膨出部１８２の端部においてＴ字状に連結された構成例を説明したが、本開示はこの構成に限定されない。例えば、横膨出部１８３と縦膨出部１８２とが、横膨出部１８３の中間部と縦膨出部１８２の中間部とで＋字状（またはＸ字状）に交差してもよい。
【００７４】
実施の形態１では、背面板１０８が２つの縦膨出部１８２と１つの横膨出部１８３を備えた構成例を説明したが、本開示はこの構成に限定されない。背面板１０８は、３以上の縦膨出部１８２を備えてもよく、あるいは２以上の横膨出部１８３を備えてもよい。
【００７５】
以上のように、本開示における技術の例示として、実施の形態を説明した。そのために、添付図面および詳細な説明を提供した。
【００７６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７７】
また、上述の実施の形態は、本開示における技術を例示するためのものであるから、特許請求の範囲またはその均等の範囲において種々の変更、置き換え、付加、省略などを行うことができる。
【産業上の利用可能性】
【００７８】
本開示は、画像や文字、動画等を表示する表示装置に適用可能である。具体的には、テレビ、モニタ表示、デジタルサイネージ、携帯端末、タブレット端末、またはテーブル型表示装置等の、保持部材に保持される表示装置に本開示は適用可能である。
【符号の説明】
【００７９】
１００    表示装置
１０１    枠体
１０２    前面部材
１０３    表示パネル
１０４    拡散板
１０５    反射シート
１０６    発光モジュール
１０８    背面板
１０９    背面カバー
１４０    発光ユニット
１６１    発光源
１６２    配線基板
１８１    取付部
１８１ａ    上端部
１８２    縦膨出部
１８３    横膨出部
１８４    基準面
１８５    補強膨出部
１８６    傾斜部
１８７    テーパー部
１８８    傾斜枠部
１８９    取付金具
２００    保持部材
【手続補正２】
【補正対象書類名】特許請求の範囲
【補正対象項目名】全文
【補正方法】変更
【補正の内容】
【特許請求の範囲】
【請求項１】
画像を表示する表示パネルと、前記表示パネルを保持する背面板と、を備える表示装置であって、
前記背面板は、
当該背面板の一端の縁部の複数箇所に配置され、当該表示装置を保持する保持部材が取り付けられる取付部と、
当該背面板の基準面から膨出し、複数の前記取付部の一端部近傍から当該背面板の前記一端に対向する他端の縁部まで延伸する複数の縦膨出部と、
前記基準面から膨出し、当該背面板の前記他端の縁に沿って延伸し、互いに隣り合う前記縦膨出部の間隔よりも大きい長さを有する横膨出部と、を備える、
表示装置。
【請求項２】
前記縦膨出部は、前記取付部よりも広い幅を有し、
前記背面板は、前記取付部の側方に設けられ、前記縦膨出部の一端から前記取付部の前記一端部を超える位置まで延伸する補強膨出部を備える、
請求項１に記載の表示装置。
【請求項３】
前記補強膨出部は、前記背面板の前記一端に向かって膨出高さが徐々に低くなる傾斜部を備える、
請求項２に記載の表示装置。
【請求項４】
表示装置に用いられ、前記表示装置が有する表示パネルを保持する背面板であって、
当該背面板の一端の縁部の複数箇所に配置され、前記表示装置を保持する保持部材が取り付けられる取付部と、
当該背面板の基準面から膨出し、複数の前記取付部の一端部近傍から当該背面板の前記一端に対向する他端の縁部まで延伸する複数の縦膨出部と、
前記基準面から膨出し、当該背面板の前記他端の縁に沿って延伸し、互いに隣り合う前記縦膨出部の間隔よりも大きい長さを有する横膨出部と、を備える、
背面板。
【手続補正３】
【補正対象書類名】図面
【補正対象項目名】全図
【補正方法】変更
【補正の内容】
【図１】
2016136218.tif 000008
【図２】
2016136218.tif 000009
【図３】
2016136218.tif 000010
【図４】
2016136218.tif 000011
【図５】
2016136218.tif 000012
【国際調査報告】
2016136218.tif 000013
2016136218.tif 000014
2016136218.tif 000015
2016136218.tif 000016
2016136218.tif 000017
2016136218.tif 000018